(57)【要約】【課題】  建築用横材と建築用縦材とを非常に高い連結強度で継合することができ、尚且つ継合施工作業も容易に行うことができる建築用木材の継合具を提供すること。【解決手段】  建築用横材１に上下貫通状態に設けた貫通孔１Ａに貫通止着する貫通止着部３と、建築用縦材２の前記仕口部２Ａに装着する継合部４とを備え、前記貫通止着部３は、前記貫通孔１Ａに挿通する連結杆８と、この連結杆８の両端部に設けられるものであって，建築用横材１の上面と下面に当接し得る固定体７とから成り、この連結杆８の両端部に設けられる前記各固定体７のいずれか一方若しくは双方に前記継合部４を設け、この継合部４に、建築用縦材２の端部に設けたピン通し孔２Ｂより挿通する係止ピン５を挿通係止するピン係止孔６を設ける。【選択図】      図１
2005299184.tif 000002
【特許請求の範囲】
【請求項１】
木製の建築用横材と、端部に仕口部を設けた木製の建築用縦材とを直角若しくは傾斜状態に継合する建築用木材の継合具であって、前記建築用横材に上下貫通状態に設けた貫通孔に貫通止着する貫通止着部と、前記建築用縦材の前記仕口部に装着する継合部とを備え、前記貫通止着部は、前記貫通孔に挿通する連結杆と、この連結杆の両端部に設けられるものであって，建築用横材の上面と下面に当接し得る固定体とから成り、前記連結杆を前記貫通孔に貫通すると共に、この貫通孔に存する連結杆の両端部の前記固定体を建築用横材の上面と下面に当接せしめることで、この貫通止着部を建築用横材に対して貫通止着し得るように構成し、この連結杆の両端部に設けられる前記各固定体のいずれか一方若しくは双方に前記継合部を設け、この継合部に、係止ピンを挿通係止するピン係止孔を設けて、この継合部に前記建築用縦材の前記仕口部を装着すると共に、建築用縦材の端部に設けたピン通し孔より前記係止ピンを挿通して前記ピン係止孔に係止することで、この継合部に建築用縦材を継合連結し得るように構成したことを特徴とする建築用木材の継合具。
【請求項２】
前記連結杆の両端部に設けられる前記各固定体の少なくとも一方は、この連結杆の端部に止着具により連結固定することで連結杆の端部に設けられる構成としたことを特徴とする請求項１記載の建築用木材の継合具。
【請求項３】
前記各固定体を板状に形成すると共に、この板状の各固定体は前記連結杆の両端部に対して一側板面が接するようにして設け、この各固定体のいずれか一方若しくは双方の他側板面に、前記継合部を突設したことを特徴とする請求項１，２のいずれか１項に記載の建築用木材の継合具。
【請求項４】
前記貫通止着部は、二本以上の前記連結杆と、この各連結杆の両端部に設けられる前記固定体とから成ることを特徴とする請求項１〜３のいずれか１項に記載の建築用木材の継合具。
【請求項５】
二本以上の前記各連結杆の両端部を、前記固定体の中心部を避けるようにしてこの固定体に連設若しくは連結固定して、この二本以上の連結杆を前記建築用横材の貫通孔に嵌挿した際に、この二本以上の連結杆間の建築用横材位置に取付具を貫通装着し得るように構成し、この取付具により建築用横材に他の木材継合具を固定し得るようにしたことを特徴とする請求項１〜４のいずれか１項に記載の建築用木材の継合具。
【発明の詳細な説明】
【技術分野】
【０００１】
本発明は、例えば、梁や胴差しなどの建築用横材と、この横材に対して立設若しくは垂設する柱などの建築用縦材とを直角に継合する建築用木材の継合具に関するものである。
【背景技術】
【０００２】
木造建築の軸組構造において、建築用横材（梁や胴差しなど）と建築用縦材（柱材など）とを継合するための方法は、例えば、短冊金物と称される細長い平らな金物を使用し、直角に配した建築用横材と建築用縦材との隣接面間にこの短冊金物を架け渡して釘打ちしたりボルト止したりすることで継合する方法や、パイプ体の底部に建築用横材に対して当接する鍔部を設けると共に、このパイプ体に係止ピンを貫通係止するピン係止孔を複数形成した継合具（特許文献１）を使用し、パイプ体を建築用横材に上下貫通形成した貫通孔に貫通させて鍔部を横材の底面に当接すると共に、パイプ体の上端部を建築用縦材の端部に形成した被嵌孔に嵌挿した上、この建築用縦材及び前記建築用横材の側方から複数の前記係止ピンを前記ピン係止孔に打ち込んで挿通係止することで、建築用横材と建築用縦材とを直角に継合する方法などが実施されている。
【０００３】
【特許文献１】特開平９−２５０１７６号公報
【発明の開示】
【発明が解決しようとする課題】
【０００４】
本発明は、上記特許文献１とは異なる構成であって、建築用横材と建築用縦材の継合連結強度が非常に高く、尚且つ継合施工作業も容易に行うことができる画期的な建築用木材の継合具を提供するものである。
【課題を解決するための手段】
【０００５】
添付図面を参照して本発明の要旨を説明する。
【０００６】
木製の建築用横材１と、端部に仕口部２Ａを設けた木製の建築用縦材２とを直角若しくは傾斜状態に継合する建築用木材の継合具であって、前記建築用横材１に上下貫通状態に設けた貫通孔１Ａに貫通止着する貫通止着部３と、前記建築用縦材２の前記仕口部２Ａに装着する継合部４とを備え、前記貫通止着部３は、前記貫通孔１Ａに挿通する連結杆８と、この連結杆８の両端部に設けられるものであって，建築用横材１の上面と下面に当接し得る固定体７とから成り、前記連結杆８を前記貫通孔１Ａに貫通すると共に、この貫通孔１Ａに存する連結杆８の両端部の前記固定体７を建築用横材１の上面と下面に当接せしめることで、この貫通止着部３を建築用横材１に対して貫通止着し得るように構成し、この連結杆８の両端部に設けられる前記各固定体７のいずれか一方若しくは双方に前記継合部４を設け、この継合部４に、係止ピン５を挿通係止するピン係止孔６を設けて、この継合部４に前記建築用縦材２の前記仕口部２Ａを装着すると共に、建築用縦材２の端部に設けたピン通し孔２Ｂより前記係止ピン５を挿通して前記ピン係止孔６に係止することで、この継合部４に建築用縦材２を継合連結し得るように構成したことを特徴とする建築用木材の継合具に係るものである。
【０００７】
また、前記連結杆８の両端部に設けられる前記各固定体７の少なくとも一方は、この連結杆８の端部に止着具９により連結固定することで連結杆８の端部に設けられる構成としたことを特徴とする請求項１記載の建築用木材の継合具に係るものである。
【０００８】
また、前記各固定体７を板状に形成すると共に、この板状の各固定体７は前記連結杆８の両端部に対して一側板面が接するようにして設け、この各固定体７のいずれか一方若しくは双方の他側板面に、前記継合部４を突設したことを特徴とする請求項１，２のいずれか１項に記載の建築用木材の継合具に係るものである。
【０００９】
また、前記貫通止着部３は、二本以上の前記連結杆８と、この各連結杆８の両端部に設けられる前記固定体７とから成ることを特徴とする請求項１〜３のいずれか１項に記載の建築用木材の継合具に係るものである。
【００１０】
また、二本以上の前記各連結杆８の両端部を、前記固定体７の中心部を避けるようにしてこの固定体７に連設若しくは連結固定して、この二本以上の連結杆８を前記建築用横材１の貫通孔１Ａに嵌挿した際に、この二本以上の連結杆８間の建築用横材１位置に取付具10を貫通装着し得るように構成し、この取付具10により建築用横材１に他の木材継合具11を固定し得るようにしたことを特徴とする請求項１〜４のいずれか１項に記載の建築用木材の継合具に係るものである。
【発明の効果】
【００１１】
本発明は上述のように構成したから、簡易な施工作業により本発明品を介して建築用縦材と前記建築用横材とを直角若しくは斜設状態に継合することができ、しかも、この際貫通止着部は、連結杆が建築用横材を上下方向に貫通すると共にこの連結杆の両端部の固定体が建築用横材を上下から挟み込むようにして強固に止着されるために、この貫通止着部と建築用横材との止着連結強度は非常に高く、従って本発明品を介して継合連結される建築用横材と建築用縦材との継合連結強度が非常に強固となるなど、極めて実用性に秀れた画期的な建築用木材の継合具となる。
【００１２】
また、請求項２記載の発明においては、建築用横材に対して簡易に貫通止着し得る貫通止着部の構成を簡易構成にして容易に設計実現可能となる一層実用性に秀れた構成の建築用木材の継合具となる。
【００１３】
また、請求項３記載の発明においては、前記作用・効果を発揮する本発明の建築用木材継合具を簡易に設計実現可能となる一層実用性に秀れた構成となる。
【００１４】
また、請求項４記載の発明においては、貫通止着部と建築用横材との貫通止着連結強度が一層向上するため、本発明品を介して継合連結される建築用木材と建築用縦材との継合連結強度が一層強固となる極めて実用性に秀れた構成の建築用木材の継合具となる。
【００１５】
また、請求項５記載の発明においては、貫通止着部と建築用横材との止着連結強度が一層向上することになり、しかも、建築用柱材と同一縦平面上に存し且つ建築用横材の長さ方向と直交する方向に配する他の横材若しくは斜設材を建築用横材に継合連結する軸組構造とすることも容易に可能となるなど、一層実用性に秀れた構成の建築用木材の継合具となる。
【発明を実施するための最良の形態】
【００１６】
好適と考える本発明の実施形態（発明をどのように実施するか）を、図面に基づいて本発明の作用を示して簡単に説明する。
【００１７】
連結杆８を建築用横材１の貫通孔１Ａに貫通すると共に、この連結杆８の両端部に設けられる各固定体７を建築用横材１の上面と下面に当接せしめることで、貫通止着部３を建築用横材１に対して貫通止着することができる。
【００１８】
また、継合部４に建築用縦材２の前記仕口部２Ａを装着し、ピン係止孔６と建築用縦材２の端部に設けたピン通し孔２Ｂとを位置合せした上、このピン通し孔２Ｂより係止ピン５を打ち込むなどしてピン係止孔６に挿通係止することで、この継合部４に対して建築用縦材２を連結固定することができる。
【００１９】
従って、単に、上記のようにして建築用横材１の貫通孔１Ａに貫通止着部３を貫通止着すると共に、上記のようにして継合部４に前記建築用縦材２の前記仕口部２Ａを連結固定するだけの施工作業により、本発明品を介して建築用縦材２と前記建築用横材１とが直角若しくは斜設状態に継合することになる。
【００２０】
また、この際、貫通止着部３は、連結杆８が建築用横材１を上下方向に貫通した状態となると共に、この連結杆８の両端部に設けられた固定体７が建築用横材１を上下から挟み込むようにして強固に止着されるために、この貫通止着部３と建築用横材１との止着連結強度が非常に高く、従って本発明品を介して継合連結される建築用横材１と建築用縦材２との継合連結強度は非常に強固なものとなる。
【００２１】
また、例えば、前記連結杆８の両端部に設けられる前記各固定体７の少なくとも一方は、この連結杆８の端部に止着具９により連結固定することで連結杆８の端部に設けられる構成とすれば、建築用横材１の貫通孔１Ａに対して簡易に貫通止着し得る貫通止着部３の構成を簡易構成にして容易に設計実現可能となり、一層実用的となる。
【００２２】
また、例えば、前記各固定体７を板状に形成すると共に、この板状の各固定体７は前記連結杆８の両端部に対して一側板面が接するようにして設け、この各固定体７のいずれか一方若しくは双方の他側板面に、前記継合部４を突設すれば、前記作用・効果を発揮する本発明の建築用木材継合具を簡易に設計実現可能となる。
【００２３】
また、例えば、前記貫通止着部３は、二本以上の前記連結杆８と、この各連結杆８の両端部に設けられる前記固定体７とから成る構成とすれば、二本以上の連結杆８が前記建築用横材１を貫通して各連結杆８が固定体７に連結固定されることにより、貫通止着部３と建築用横材１との貫通止着連結強度が一層向上し、従って本発明品を介して継合連結される建築用木材１と建築用縦材２との継合連結強度が一層強固となる。
【００２４】
また、例えば、二本以上の前記各連結杆８の両端部を、前記固定体７の中心部を避けるようにしてこの固定体７に連設若しくは連結固定して、この二本以上の連結杆８を前記建築用横材１の貫通孔１Ａに嵌挿した際に、この二本以上の連結杆８間の建築用横材１位置に取付具10を貫通装着し得るように構成し、この取付具10により建築用横材１に他の木材継合具11を固定し得るようにすれば、二本以上の連結杆８により、貫通止着部３と建築用横材１との止着連結強度が一層向上することになり、しかも、固定体７の中心部を避けるようにしてこの固定体７に連設若しくは連結固定される二本以上の連結杆８間には隙間が形成されるため、この二本以上の連結杆８間の建築用横材１位置に取付具10を貫通装着して、この取付具10により建築用横材１に他の木材継合具11を固定することが簡易に設計実現可能となり、これにより例えば、この木材継合具11を利用して、建築用柱材２と同一縦平面上に存し且つ建築用横材１の長さ方向と直交する方向に配する他の横材14若しくは斜設材を建築用横材１に継合連結する軸組構造とすることも可能となるなど、一層実用的となる。
【実施例】
【００２５】
本発明の具体的な実施例について図面に基づいて説明する。
【００２６】
本実施例では、主に家屋の二階以上に配設される梁材や胴差しなどの建築用横材１と、この建築用横材１に対して立設状態或いは垂設状態に建築用柱材２（柱材）を継合連結することに適した建築用木材の継合具としている。
【００２７】
本実施例は、前記建築用横材１に上下貫通状態に設けた貫通孔１Ａに貫通止着する貫通止着部３と、前記建築用縦材２の端部に設けた前記仕口部２Ａに装着する継合部４とを備えている。
【００２８】
具体的には、前記貫通止着部３は、図１に示すように、前記貫通孔１Ａに挿通する連結杆８と、この連結杆８の両端部に止着具９により連結固定されて建築用横材１の上面と下面に当接し得る固定体７とから成り、前記連結杆８を前記貫通孔１Ａに貫通すると共に、この貫通孔１Ａに存する連結杆８の両端部に前記固定体７を止着具９により連結固定して夫々の固定体７を建築用横材１の上面と下面に当接せしめることで、この貫通止着部３を建築用横材１に対して貫通止着し得るように構成している。
【００２９】
更に詳しくは、連結杆８は、建築用横材１の上下幅と略同じ長さを有するかまたは建築用横材１の上下幅よりもやや短い長さを有する金属製のストレートパイプを二本採用している。
【００３０】
固定体７は、建築用横材１の上下面にしっかりと当接（面接）して、貫通孔１Ａ内に嵌挿した連結杆８を強固な抜け止め状態に止着固定保持できる平面視略正方形の板状体を採用している。
【００３１】
また、この連結杆８と固定体７との連結固定構造は、連結杆８の両端部内面に雌ネジ８Ａを形成する一方、固定体７の四隅のうちの対向する二隅に止着孔７Ａを形成し、この雌ネジ８Ａと止着孔７Ａとを位置合せした上、固定体７の外側から前記止着具９としての止着ボルト９を雌ネジ８Ａに螺着することで、連結杆８の両端部に固定体７を連結固定できる構造としている。
【００３２】
尚、本実施例では、連結杆８に対して二体の固定体７を双方共別体とし、この二体の固定体７を止着具９によって連結杆８に連結固定する構造を示したが、各固定体７のいずれか一方だけが連結杆８と別体で、この別体の固定体７が連結杆８の端部に止着具９により連結固定する構成としても良い。即ち、いずれか一方の固定体７が連結杆８と一体的に形成される構成でも良い。
【００３３】
本実施例では、この連結杆８の両端部に連結固定する前記固定体７のいずれか一方若しくは双方に前記継合部４を設けている。
【００３４】
具体的には、板状の固定体７は、前記連結杆８の両端部に対して一側板面が接するようにして連設若しくは連結固定し、この固定体７の他側板面（連結杆８が存する側と反対側の板面）に継合部４を設けている。
【００３５】
また、固定体７は、継合部４が設けられるものと、継合部４を有しないものとの二種類を用意し、後述するように施工目的に応じて継合部４を有しないものも使用する。
【００３６】
また、継合部４は、固定体７と略同形状の取付板12に突設され、この取付板12を固定体７の他側板面に対して付設することで、この固定体７の他側板面に継合部４を突設した構成としている。
【００３７】
また、この取付板12は、固定体７の他側板面に対して、前記止着ボルト９のボルト頭部の高さ幅と略同幅，若しくはボルト頭部の高さ幅よりも広幅となる間隔を置いて付設すると共に、この取付板12の二隅部には前記止着孔７Ａに対応させて工具差込孔12Ａを貫通形成している。即ち、取付板12の外側から工具差込孔12Ａを介して止着孔７Ａに止着ボルト９を挿通させ、この止着ボルト９を工具差込孔12Ａから差し込んだ工具で螺着操作することにより止着ボルト９を雌ネジ８Ａに螺着できると共に、この際ボルト頭部が取付板12と固定体７との間に埋没状態となる構成としているもので、これにより螺着後の止着ボルト９のボルト頭部がこの取付板12よりも外方へ突出せず、ボルト頭部が建築用縦材２の端部に接触することで傷付くことを防止できる共に、取付板12に対して建築用縦材２の端部をぴったりと面接当接させて安定的に継合連結できるようにしている。
【００３８】
また、この継合部４について更に説明すると、取付板12の板面と直交する方向に突設する板状体に構成している。
【００３９】
更に詳しくは、図１において、平面より見て略十文字状をなす板状体を前記取付板12上に立設した構成とし、一方、前記建築用縦材２の端部には、この継合部４を嵌挿し得る略十文字状のスリット２Ａを形成して前記仕口部２Ａを構成している。
【００４０】
また、この継合部４には、係止ピン５を挿通係止するピン係止孔６を複数設け、一方、建築用縦材２の端部には、ピン係止孔６に対応させてピン通し孔２Ｂを複数設け、この継合部４に建築用縦材２の前記仕口部２Ａを装着すると共に、ピン通し孔２Ｂより前記係止ピン５を挿通して前記ピン係止孔６に打ち込み係止することで、この継合部４に建築用縦材２を継合連結し得るように構成している。
【００４１】
従って、本実施例の継合部４は、単に板材を略十文字状に形成することによって構成可能であり、尚且つ仕口部２Ａについても、単に建築用縦材２の端部に略十文字状のスリット２Ａを形成するだけで構成できるので、この継合部４並びに仕口部２Ａをコスト安にして簡易に設計実現可能となり、しかも、継合部４をスリット２Ａに装着するだけで、継合部４に対して建築用縦材２がほとんど横ズレしない状態となるので、その後にピン係止孔６とピン通し孔２Ｂとを位置合せする作業も、係止ピン５を打ち込む作業も簡易に行われる上、この係止ピン５を打ち込むことによる継合連結後の連結強度も極めて強固となる構成としている。
【００４２】
また、本実施例では、前記建築用横材１の上面若しくは下面に当接し得る前記固定体７の中心部を避けるようにしてこの固定体７に二本の前記連結杆８を連結固定し得るように構成すると共に、この二本の連結杆８を前記建築用横材１の貫通孔１Ａに嵌挿した際に、この二本の連結杆８間の建築用横材１位置に取付具10を貫通装着し得るように構成し、この取付具10により建築用横材１に他の木材継合具11を固定し得るようにしている。
【００４３】
具体的には、前記したように、止着孔７Ａを固定体７の中心部を避けて、隅部（対向する二隅）に形成したことで、この固定体７と連結固定する連結杆８が固定体７中心部を避けて配設するように構成している。
【００４４】
一方、建築用横材１には、このように配設される複数（二本）の連結杆８に対応させて貫通孔１Ａが複数箇所（二箇所）に上下貫通状態に形成すると共に、固定体７の対向する一方の二辺が建築用横材１の左右面と略平行状態でこの建築用横材１の上面若しくは下面に当接することとなるように貫通孔１Ａの形成位置を設定構成している。
【００４５】
従って、この二箇所の貫通孔１Ａに二本の連結杆８を嵌挿すると、図７に示すようにこの二本の連結杆８間（二箇所の貫通孔１Ａ間）には建築用横材１の長さ方向と直交する方向に隙間が生じることになるので、本実施例では、この二本の連結杆８間の隙間部位に、この建築用横材１の長さ方向と直交する方向に沿って前記取付具10としての取付ボルト10を挿通し得る挿通孔13を貫通形成している。
【００４６】
そして、図５では、この挿通孔13に挿通した取付ボルト10により他の木材継合具11を建築用横材１の左右いずれかの側面に突設状態に取付固定した場合を示し、図６，図７では、この木材継合具11を利用して建築用横材１の長さ方向と直交する方向に且つ前記継合部４に継合した建築用柱材２と同一縦平面上に存するようにして他の横材14を建築用横材１に継合連結した場合を示している。
【００４７】
次に、図２〜図５を用いて本実施例の具体的な施工手順を説明する。
【００４８】
尚、この図２〜図５では、建築用横材１の上面に対して建築用縦材を直角に（立設状態に）継合連結する場合の本継合具の構成を示しているもので、具体的には、建築用横材１に前記貫通止着部３を貫通止着した際、建築用横材１の下面には継合部４のない固定体７を連結固定し、建築用横材１の上面には継合部４を付設した固定体７を連結固定して施工する場合である。
【００４９】
例えば、予め、継合部４を付設していない固定体７に止着ボルト９によって二本の連結杆８を立設状態に連結固定し、この二本の連結杆８を建築用横材１の二箇所の貫通孔１Ａに貫通すると共に、固定体７を建築用横材１の下面に当接させる（図２，図３参照）。
【００５０】
続いて、建築用横材１の上面に、継合部４を付設した別の固定体７を載置当接すると共に、止着孔７Ａと連結杆８の雌ネジ８Ａ（貫通孔１Ａ）とを位置合わせし、工具差込孔12Ａを介してこの止着孔７Ａの外側から止着ボルト９を雌ネジ８Ａに螺着することで、貫通止着部３の連結杆８が建築用横材１を上下方向に貫通した状態であって、且つこの連結杆８の両端部に連結固定した固定体７が建築用横材１を上下から挟み込むようにして本継合具が建築用横材１に止着される（図３，図４参照）。
【００５１】
尚、例えば、予め継合部４を付設した固定体７に止着ボルト９によって二本の連結杆８を垂設状態に連結固定したものを建築用横材１の二箇所の貫通孔１Ａに貫通させてから、連結杆８の下端に継合部４のない固定体７を連結固定するようにしても良いし、連結杆８を貫通孔１Ａに嵌挿してから、この連結杆８の上端と下端とに順不同で各固定体７を連結固定しても良い。
【００５２】
次いで、継合部４に建築用縦材２の前記スリット２Ａを装着し、ピン係止孔６と建築用縦材２の端部に設けたピン通し孔２Ｂとを位置合せした上、このピン通し孔２Ｂより係止ピン５を挿通してピン係止孔６に打ち込み係止することで、この継合部４に対して建築用縦材２を連結固定することができ、結果、本継合具を介して建築用横材１と建築用縦材２とが直角に継合連結される（図４，図５参照）。
【００５３】
尚、先に継合部４に建築用縦材２を継合連結してから、貫通止着部３を建築用横材１に貫通止着する手順でも良いが、本実施例のように貫通止着部３を建築用横材１に貫通止着してから、継合部４に建築用縦材２を継合連結する手順の方が、作業性が良好である。
【００５４】
また、図５では、建築用横材１の下面に対して建築用縦材１を垂設状態に継合連結した場合も示しており、この場合、建築用横材１の上面に当接する固定体７は継合部４のないものを使用し、下面に当接する固定体７は継合部４のあるものを使用、即ち、図２〜図４で示した各固定体７を上下逆に使用して施工すれば良い。
【００５５】
また、図８は、建築用横材１の上面と下面の双方に建築用縦材１を継合連結する場合を示しているもので、この場合には、建築用横材１の上下面に面接当接する各固定体７を、双方共継合部４のあるものを使用して施工すれば良い。
【００５６】
尚、本実施例では、建築用横材１と建築用縦材２とを直角に継合連結し得るように構成した場合を示したが、建築用縦材２を建築用横材１に対して斜設状態に継合連結することができるように継合部４を構造変更するなどしても良い。
【００５７】
また、本発明は、本実施例に限られるものではなく、各構成要件の具体的構成は適宜設計し得るものである。
【図面の簡単な説明】
【００５８】
【図１】本実施例を示す分解斜視図である。
【図２】本実施例の連結杆の一端（下端）部に固定体を連結固定し、この連結杆を建築用横材の下方から貫通孔に嵌挿しようとする状態を示す説明斜視図である。
【図３】図２の状態から、建築用横材の貫通孔に嵌挿した連結杆の他端（上端）部に継合部を付設した固定体を位置合わせしてこの固定体を建築用横材の上面に止着具により止着固定しようとする状態を示す説明斜視図である。
【図４】図３の状態から、建築用横材の上面に固定された継合部に建築用縦材の仕口部を装着して係止ピンにより継合連結しようとする状態を示す説明斜視図である。
【図５】本実施例の施工完了状態並びに、建築用横材に他の木材継合具を固定した状態を示す説明斜視図である。
【図６】図５の他の木材継合具を利用して建築用横材に他の横材を継合連結した状態を示す説明側断面図である。
【図７】図６の説明平断面図である。
【図８】建築用横材の上面と下面の双方に建築用縦材を連結する場合を示す説明斜視図である。
【符号の説明】
【００５９】
１  建築用横材
１Ａ  貫通孔
２  建築用縦材
２Ａ  仕口部（スリット）
２Ｂ  ピン通し孔
３  貫通止着部
４  継合部
５  係止ピン
６  ピン係止孔
７  固定体
８  連結杆
９  止着具
10  取付具
11  継合具
【図１】
2005299184.tif 000003
【図２】
2005299184.tif 000004
【図３】
2005299184.tif 000005
【図４】
2005299184.tif 000006
【図５】
2005299184.tif 000007
【図６】
2005299184.tif 000008
【図７】
2005299184.tif 000009
【図８】
2005299184.tif 000010